(57)【要約】【課題】  充填材を均しながら、人工芝のパイルを確実に起こすことができ、繰り返しの使用に耐えうる人工芝用ブラシを提供することである。【解決手段】  ブラシの移動方向前方側の第１ブラシ部Ａを、断面形状が長円の櫛部材７を、その長径を上記移動方向に直交させて台本体４に１本ずつ植え込んで構成するとともに、進行方向後方側の上記第２ブラシ部Ｂを、複数のブラシ毛８を束ねた毛束を台本体４に植え込んで構成し、さらに、上記台本体４の底面の両端付近に一対の車輪９，９を設けた。【選択図】図２
0003160668.tif 000002
【実用新案登録請求の範囲】
【請求項１】
基布に植え込まれたパイル間に充填材を充填した人工芝上を移動させて、上記パイルを起立させながら充填材を均すための人工芝用ブラシであって、台本体と、この台本体の底面に設けるとともに、人工芝に対する移動方向の前方に設け、上記パイルを起立させるとともに、充填材を掻き出し飛散させるための第１ブラシ部と、この第１ブラシ部より上記進行方向後方に設け、上記充填材を均すための第２ブラシ部とを備えた人口芝用ブラシにおいて、上記第１ブラシ部を、断面形状が長円の櫛部材をその長径を上記移動方向に直交させて台本体に１本ずつ植え込んで構成するとともに、上記第２ブラシ部を、複数のブラシ毛を束ねた毛束を台本体に植え込んで構成し、さらに、上記台本体の底面には、その両端付近に一対の車輪を設けた人工芝用ブラシ。
【請求項２】
上記台本体と車輪との距離を調節するための調節手段を備えた請求項１に記載の人口芝用ブラシ。
【考案の詳細な説明】
【技術分野】
【０００１】
この考案は、パイル間にゴムチップなどの、粒状の充填材を充填した人工芝のパイルを整えるための人口芝の整備用ブラシに関する。
【背景技術】
【０００２】
従来から、図４に示すような基布１にパイル２を植え込んだ人工芝が利用されているが、天然芝に近い踏み心地を実現するために、パイル２間に砂やゴムチップなどの粒状の充填材３を充填したものが利用されている。
このような、人口芝では、スポーツなどで上を踏まれることによって、パイルが倒れたりするだけでなく、充填した上記充填材３が移動してしまったりすることがある。特に、パイルが倒れた上に充填材３が載ってしまうと、倒れたパイル２が倒れたままになってしまう。
【０００３】
このように、パイル２が倒れてしまったり、充填材３が移動して偏ってしまったりすると、人工芝の踏み心地が変わってしまうだけでなく、ボールの転がり具合なども変化してしまうので、使用後には上記充填材を均したり、倒れてしまったパイルを立てたりしなければならない。
そのため、特許文献１に示すようなロールブラシや、特許文献２に示すような仕上げ装置を用いたりすることが知られている。
しかし、上記特許文献１に記載されたロール部材では、充填材３を均すことはできても、充填材３に埋もれてしまったパイル２を立ち上がらせるのは難しかった。
【０００４】
一方、特許文献２に記載されたメンテナンス装置は、パイルの先端を起立させるための突起からなるパイル起立部と、充填材均し部とを基板の底面に設け、基板をパイル上に載せてそれをトラクターで引っ張って移動させながら人工芝を整えるというものである。
【先行技術文献】
【特許文献】
【０００５】
【特許文献１】特開２００２−１７３９０６
【特許文献２】特開２００６−２３３５９６
【考案の概要】
【考案が解決しようとする課題】
【０００６】
しかし、特許文献２に記載された整備装置は、トラクターで引っ張る際、上記基板がパイル上で傾いてしまうことがある。このように、基板が傾くとその底面に設けた突起の人工芝に対する押し付け力が場所によって変わってしまう。押し付け力が弱い部分では、突起が人工芝の奥まで届かないことがあり、倒れてしまったパイルを十分に立ち上がらせることができないことがあった。
また、押し付け力が強い部分では、突起が曲がってしまうが、その方向は一定にならないので、パイルに対する作用が不均一になってしまう。
また、上記突起が様々な方向に曲がって変形したり、先端が磨耗したりしてしまうと、繰り返し使用できないという問題もあった。
この考案の目的は、充填材を均しながら、人工芝のパイルを確実に起こすことができ、繰り返しの使用に耐えうる人工芝用ブラシを提供することである。
【課題を解決するための手段】
【０００７】
この考案は、基布に植え込まれたパイル間に充填材を充填した人工芝上を移動させて、上記パイルを起立させながら充填材を均すための人工芝用ブラシであって、台本体と、この台本体の底面に設けるとともに、人工芝に対する移動方向の前方に設け、上記パイルを起立させるとともに、充填材を掻き出し飛散させるための第１ブラシ部と、この第１ブラシ部より上記進行方向後方に設け、上記充填材を均すための第２ブラシ部とを備えた人口芝用ブラシを前提とする。
【０００８】
第１の考案は、上記人工芝用ブラシを前提とし、上記第１ブラシ部を、断面形状が長円の櫛部材をその長径を上記移動方向に直交させて台本体に１本ずつ植え込んで構成するとともに、上記第２ブラシ部を、複数のブラシ毛を束ねた毛束を台本体に植え込んで構成し、さらに、上記台本体の底面の両端付近に一対の車輪を設けたことを特徴とする。
なお、上記櫛部材の断面形状の長円は、数学的に厳密な楕円だけでなく、真円を一方向に圧縮した形状や、円弧を直線で接続したような形状なども含むものとする。
【０００９】
第２の考案は、上記車輪と台本体との距離を調節するための調節手段を備えたことを特徴とする。
【考案の効果】
【００１０】
本考案の人工芝用ブラシは、断面形状を長円とした櫛部材を第１ブラシ部に用いているため、櫛部材が撓む方向に方向性ができる。すなわち、櫛部材は、長円の短径方向には撓みやすいが、長径方向には撓み難いので、ブラシの移動中にも、櫛部材の間隔が変化し難い。そのため、倒れているパイルに対する作用が場所によらず、パイルを確実に起立させることができる。
【００１１】
また、台本体に設けた車輪によって台本体の高さを保持できるので、櫛部材の人工芝面に対する押し付け力をほぼ一定に保つことができる。そのため、場所によらず、パイルを確実に起立させることができる。同様に、第２ブラシ部のブラシ毛の押し付け力も一定に保つことができるので、充填材を均一に均すことができる。
さらに、車輪によって台本体の高さを保持できるので、第１ブラシ部及び第２ブラシ部が、人工芝に必要以上に強く押し付けられることがなく、先端の磨耗も低減でき、ブラシの耐久性を上げることができる。
【００１２】
第２の考案によれば、車輪の位置を調整することによって、人工芝の特性に合わせた最適な高さを設定することができる。
また、第１ブラシ部や第２ブラシ部の先端が磨耗してしまった場合に、磨耗分に合わせて車輪の位置を調整すれば、さらにブラシの寿命を延ばすことができる。
【図面の簡単な説明】
【００１３】
【図１】実施形態のブラシの正面図である。
【図２】実施形態のブラシの側面図である。
【図３】台本体の底面図である。
【図４】人工芝の模式図である。
【考案を実施するための形態】
【００１４】
図１〜図３に示すこの考案の実施形態は、木製の台本体４に、第１ブラシ部Ａと第２ブラシ部Ｂとを設けたブラシである。
台本体４の上面には、接続部材５ａを介して柄５を取り付けている。この柄５は、台本体４の長手方向に直交する方向に傾けて設けられ、作業者が、この柄５を持って台本体を押して、矢印ｘ方向（図２参照）に移動させて用いるようにしている。なお、上記柄５の両側には、支持部材６、６を設けて柄５のふらつきを防止するようにしている。
【００１５】
一方、台本体４の底面側には、上記したように第１ブラシ部Ａと第２ブラシ部Ｂとを設けているが、図２、図３に示すように、このブラシの移動方向前方に第１ブラシ部Ａ、後方側に第２ブラシ部Ｂを設けている。
図３は、上記台本体４の底面示す模式図である。台本体４において上記移動方向前方には、台本体の長手方向に沿って複数の植え込み穴４ａを線状に設けている。これらの植え込み穴４ａは断面形状が長円形であり、その長径をブラシの移動方向である矢印ｘに直交させている。
【００１６】
上記のように、長径を移動方向に直交させて設けた植え込み穴４ａには、それぞれ、この植え込み穴４ａに一致する、断面形状が長径の棒状部材からなる櫛部材７を１本ずつ植え込んでいる。つまり、断面形状が長円の櫛部材７も、その長径がブラシの移動方向に直交するように設けられることになる。
このように断面形状が長円の櫛部材７は、長径方向に比べて短径方向に曲がり易くなるが、この曲がり易い方向がブラシの移動方向に一致している。そのため、このブラシが人工芝上を移動する際に、前後方向には曲がり易いが、移動方向に直交する左右方向には曲がりにくく、櫛部材７の左右の間隔が保持され易い構造になっている。
【００１７】
上記櫛部材７は、合成樹脂製、あるいは金属製の芯を樹脂で被覆したものなど、材質は特に限定されない。但し、倒れている人工芝のパイル２を引っかけて起こす機能を発揮するため、適度の剛性を備えていることと、パイル２を傷つけることがない表面性を備えていることが望ましい。
【００１８】
なお、櫛部材７は、その太さを太くすることによっても剛性を上げることができる。例えば、合成樹脂製の櫛部材７の場合、短径を２〜３（ｍｍ）、長径を短径の１．１倍〜１．８倍にする。
また、この実施形態では、線状に長径を並べた植え込み穴４ａの列を２列設けているが、第１ブラシ部Ａを構成する列は２列に限らない。
【００１９】
上記台本体４の底面において、上記のように櫛部材７を配置した第１ブラシ部Ａの後方には、円形の植え込み穴４ｂを配置している。この植え込み穴４ｂには、ブラシ毛８を多数束ねて形成した束を植え込み、第２ブラシ部Ｂを構成している。
上記ブラシ毛８は断面形状がほぼ円形で、直径が数百（μｍ）〜１（ｍｍ）程度の合成樹脂製のフィラメントや、植物繊維などである。このようなブラシ毛８は、上記櫛部材７と比べて、細く、しかも円形に束ねて植え込まれているので、人工芝上を移動する際には前後方向だけでなく、左右にも広がって充填材３を均すことができる。
【００２０】
なお、この実施形態では、上記ブラシ毛８は、その断面形状を円形にしているが、真円に限定されるものではない。但し、ひとつの植え込み穴４ｂに植え込む毛束全体として、撓み易さに方向性ができない形状が好ましい。
また、上記櫛部材７とブラシ毛８とをほぼ等しい長さにしている。
【００２１】
さらに、上記台本体４の両端には、車輪９，９を取り付けている。
上記車輪９，９は、これを回転自在に保持する保持部材１０に取り付け、この保持部材１０，１０の上端には外周に雄ねじを形成した棒状のねじ部材１１，１１を固定し、このねじ部材１１，１１を、台本体４に貫通させている。
さらに、上記ねじ部材１１，１１のそれぞれには、上記台本体４を挟んで両側に固定部材１２ａ，１２ｂを設けている。
【００２２】
上記固定部材１２ａ．１２ｂは、上記ねじ部材１１，１１の外周に形成された雄ねじにかみ合うナット状の部材であり、ねじ部材１１に沿って上下に移動可能なものである。これら固定部材１２ａ，１２ｂの上下位置を調整して車輪９の位置を調整し、両固定部材１２ａ，１２ｂで台本体４を挟むことによって、車輪９，９と台本体４との距離を保持するようにしている。
そして、上記固定部材１２ａ，１２ｂの位置を調整することによって、車輪９，９の接地部から台本体４までの距離Ｌを、上記櫛部材７及びブラシ毛８の長さと同等にしている。つまり、上記車輪９，９が平面に接触したとき、その平面に、上記櫛部材７及びにブラシ毛８の先端が接触するようにしている。
【００２３】
上記のように構成したブラシを人工芝上で矢印ｘ方向に移動させると、傾いたり、充填材３が重なって倒れた状態になったりしているパイル２を、ブラシの移動方向に沿って直線的に移動する櫛部材７の先端が引っかけて起立させるとともに、偏ってパイルの根元に埋没したり、偏って積層している充填材３を掻き出して飛散させてから、第２ブラシ部Ｂのブラシ毛８が掻き出された充填材３を掃くようにして均すことができる。
上記櫛部材７は、先に説明したように移動方向に直交する方向には曲がりにくいため、左右に隣り合う櫛部材７間の間隔が変化することなく、第１ブラシ部Ａが櫛目の変わらない櫛としてパイル２を確実に起立させ、パイル間の充填材を掻き出して飛散させることができる。
【００２４】
また、この実施形態のブラシは、台本体４の両端に車輪９，９を設けたので、台本体４と接地面との距離を一定に保つことができる。そのため、人工芝に対する第１ブラシ部Ａ及び第２ブラシ部Ｂの押し付け力もほぼ一定となり、ブラシの移動中、第１ブラシ部Ａの櫛部材７が倒れているパイル２を確実に起立させることができるとともに、第２ブラシ部Ｂのブラシ毛８が充填材３を均等に均すことができる。
【００２５】
さらに、人工芝に対する押し付け力を一定に保つことができるため、上記櫛部材７やブラシ毛８の先端が偏磨耗することがないだけでなく、必要以上に強く押し付けられることもないので、全体としても磨耗し難くなってブラシの耐久性が上がることになる。もし、櫛部材７やブラシ毛８の先端が磨耗してその長さが短くなったときには、上記固定部材１２ａ，１２ｂを移動させて、車輪９，９の位置を調整することによって、短くなった櫛部材７やブラシ毛８が人工芝の内部に届くように調整することもできる。これにより、上記ブラシを、さらに長期間使用できるようになる。
なお、この実施形態では、上記ねじ部材１１及び固定部材１２ａ，１２ｂによって、この考案の台本体と車輪との距離を調節するための調節手段を構成している。
【符号の説明】
【００２６】
４    台本体
４ａ    植え込み穴
４ｂ    植え込み穴
７    櫛部材
８    ブラシ毛
９    車輪
１１    ねじ部材
１２ａ    固定部材
１２ｂ    固定部材
Ａ    第１ブラシ部
Ｂ    第２ブラシ部
ｘ    （ブラシの）移動方向
【図１】
0003160668.tif 000003
【図２】
0003160668.tif 000004
【図３】
0003160668.tif 000005
【図４】
0003160668.tif 000006